(57)【要約】      （修正有）【課題】全自動洗濯機等を水道蛇口に接続する前に、水道蛇口の水漏れの有無を検査する構造と操作が簡単な検査装置を提供する。【解決手段】水道蛇口に共用使用するように取付けられた雄形コネクタ３ａに有底の雌形コネクタ止栓３ｃまたは操作用ホースを挟んでつながる有底止栓付きの雌形コネクタをワンタッチ取付けして水道蛇口の給水時の水漏れの有無を検査する。水道蛇口２は給水をコントロールする全自動洗濯機の接続により開いて給水状態のままとなるので、水圧の増減負荷の反複によって開閉軸２ｂの軸まわり間隙２ｃ、雄形コネクタ３ａまわりから水漏れを生ずることがあるが、上記の水漏れ検査によってその有無を全自動洗濯機を接続する前に知ることができる。【選択図】図１
0003184947.tif 000002
【実用新案登録請求の範囲】
【請求項１】
全自動洗濯機を水道蛇口に接続する前に該水道蛇口の給水時の水漏れの有無を検査し、水漏れのないことを確認してから、全自動洗濯機を水道蛇口に接続するために、該水道蛇口に共用使用するように取付けられている雄形コネクタに有底の雌形コネクタ止栓または操作用ホースを挟んでつながる有底止栓付きの雌形コネクタをワンタッチ取付けして該水道蛇口の給水時の水漏れの有無を検査するようにしたことを特徴とする全自動洗濯機取付け前の水道蛇口の水漏れ検査装置。
【請求項２】
全自動食器洗浄機を水道蛇口に接続する前に該水道蛇口の給水時の水漏れの有無を検査し、水漏れのないことを確認してから、全自動食器洗浄機を水道蛇口に接続するために、該水道蛇口に共用使用するように取付けられている雄形コネクタに有底の雌形コネクタ止栓または操作用ホースを挟んでつながる有底の雌形コネクタ止栓をワンタッチ取付けして該水道蛇口の給水時の水漏れの有無を検査するようにしたことを特徴とする全自動食器洗浄機取付け前の水道蛇口の水漏れ検査装置。
【考案の詳細な説明】
【技術分野】
【０００１】
本考案は、全自動洗濯機，全自動食器洗浄機取付け前の水道蛇口の水漏れ検査装置に関するものである。
【背景技術】
【０００２】
従来、水道蛇口の給水口コネクタに散水用などのホースを接続するホースコネクタにスライドリングのスライドで拘束するロック手段を設けて通水中にホースコネクタが外れて水が飛散しないようにすることを記載した特開２００１−２００９７０号公報がある。
【先行技術文献】
【特許文献】
【０００３】
【特許文献１】特開２００１−２００９７０号公報
【考案の概要】
【考案が解決しようとする課題】
【０００４】
しかしながら、該公報は散水中にホースコネクタが外れて水が飛散することを防止するにとどまっていて、全自動洗濯機などを水道蛇口に接続する前の検査手段の記載に全く欠けているという課題がある。
【課題を解決するための手段】
【０００５】
本考案は、全自動洗濯機等が水道蛇口にかわって水道水の給水をコントロールすることから、その設置前に水道蛇口に共用使用するように取付けられている雄形コネクタに有底の雌形コネクタ止栓または操作用ホースを挟んでつながる有底止栓付きの雌形コネクタをワンタッチ取付けして該水道蛇口の給水時の水漏れの有無を検査して、水漏れのないことを確認してから全自動洗濯機等を給水蛇口に接続するようにして、全自動洗濯機等の使用開始後の水漏れの発生を確実に解消するようにして、前記した課題を解決したのである。
【考案の効果】
【０００６】
本考案は、全自動洗濯機等の給水ホースの雌形コネクタを水道蛇口に共用使用するように取付けられている雄形コネクタにワンタッチ接続する前に水道蛇口の給水口を検査用の雌形コネクタ止栓にて水止めして該水道蛇口の給水による水漏れの有無を検査するようにしたので、全自動洗濯機等は使用後の水道蛇口まわりより水漏れすることが一切生じなくなるという効果を生ずる。
【０００７】
水漏れ検査装置は構造および操作がきわめて簡単という効果がある。
【図面の簡単な説明】
【０００８】
【図１】（ａ）は第１実施例の水漏れ検査装置と水道蛇口を接続前の状態にて示す側面図、（ｂ）は同、接続した状態にて示す側面図
【図２】有底止栓付きの雌型コネクタを水道蛇口の雄形コネクタに接続した状態にて示す側面図
【図３】雄形コネクタ取付けの水道蛇口と全自動洗濯機を示す斜視図
【考案を実施するための形態】
【０００９】
全自動洗濯機は水道蛇口にかわって内蔵するプログラムに基づいて給水と給水止めを繰返すため、水道蛇口は水圧の増減負荷が反複することで開き給水時に開閉軸のまわり、雄形コネクタ部分からの水漏れがしばしば発生していることに鑑み、全自動洗濯機の設置前に水道蛇口に共用使用するように取付けられている雄形コネクタに検査用の雌形コネクタ止栓をワンタッチ取付けにて水止めしておいて水道蛇口の開き給水により水道蛇口まわりの水漏れの有無を検査して水漏れのないことを確認してから該洗濯機を水道蛇口の給水口に接続して使用開始後に水道蛇口まわりからの水漏れが生じないようにする。
【実施例１】
【００１０】
図１乃至図２は本考案の第１実施例であって、全自動洗濯機１の給水ホース１ａを水道蛇口２の給水口２ａに接続する前に該水道蛇口２の給水口２ａに共用使用するように取付けられている雄形コネクタ３ａに有底３ｂ付きの雌形コネクタ止栓３ｃをワンタッチ嵌付けして水止めしておいて水道蛇口２を開いて給水状態にして、水道蛇口２の水漏れの有無を検査するのである。
【００１１】
水漏れ検査によって水道蛇口２より水漏れのないことを確認してから、図３に示すように全自動洗濯機１の給水ホース１ａの雌形コネクタ１ｂを水道蛇口２の共用の雄形コネクタ３ａにワンタッチ接続するのである。
【００１２】
水道蛇口２は給水をコントロールする全自動洗濯機１の接続により開いて給水状態のままとなるので、水圧の増減負荷の反複によって開閉軸２ｂの軸まわり間隙２ｃ、雄形コネクタ３ａまわりから水漏れを生ずることがあるが、上記の水漏れ検査によってその有無を全自動洗濯機１を接続する前に知ることができる。
【００１３】
水道蛇口２に水漏れ検査によって水道蛇口２または雄形コネクタ３ａに水漏れが発見されたときは修理または交換して水漏れのないようにする。
【００１４】
本考案の水漏れ検査装置は、戸建家屋，マンション等の空室などで全自動洗濯機の設置予定個所の水道蛇口２の水漏れ検査に特に役立つこととなる。
【００１５】
なお、水道蛇口２開閉軸２ｂ下のパッキン２ｄの減りによる水漏れは水道蛇口２の開閉軸２ｂを閉じることで水漏れの有無を確認することができる。
【００１６】
このようにして全自動洗濯機１の設置前に検査しておくことでマンションなどの新入居者は水漏れの心配なしに安心して全自動洗濯機１を設置して使用を開始することができることとなる。
【００１７】
なお、有底の雌形コネクタ止栓３ｃは図２に示すように操作用ホース３ｄを挟んでつながる有底止栓３ｅ付きの雌形コネクタ３ｆにて置きかえることができる。
【００１８】
図示してない全自動食器洗浄機も全自動洗濯機１と同様に給水をコントロールするので、本考案の水漏れ検査装置により水道蛇口２に全自動食器洗浄機を接続する前に水道蛇口２の水漏れの有無を検査することができる。
【産業上の利用可能性】
【００１９】
本考案の水漏れ検査装置は構造および操作がきわめて簡単なことで広く利用されるものである。
【符号の説明】
【００２０】
１は全自動洗濯機
１ａは給水ホース
１ｂは給水ホース１ａの雌形コネクタ
２は水道蛇口
２ａは給水口
２ｂは開閉軸
２ｃは軸まわり間隙
３ａは水道蛇口２の給水口２ａに共用使用するように取付けられている雄形コネクタ
３ｂは雌形コネクタ止栓の底
３ｃは有底の雌形コネクタ止栓
３ｄは操作用ホース
３ｆは有底止栓付きの雌形コネクタ
【図１】
0003184947.tif 000003
【図２】
0003184947.tif 000004
【図３】
0003184947.tif 000005